(57)【要約】【課題】均斉度のばらつきを回避できる高圧放電ランプを提供することにある。【解決手段】支持フレーム１０において発光管６の軸線Ｌ方向に沿って延びる一対の支持枠片１１、１１には、発光管６の軸線Ｌ周りに螺旋状に延びる螺旋部１６、１６が設けられている。２つの螺旋部１６、１６は発光管６の軸線Ｌを中心軸として軸対称となるように配されて、それぞれ半周分（１８０°）回転し、合計で１周の巻回となるようにされている。さらに、この螺旋部１６、１６の巻き始め位置および巻き終わり位置は、それぞれ発光管６の端部に対応する位置にある。すなわち、一対の電極Ｅ、Ｅにおいて互いに向かい合う側の端部に対応する位置よりも外側（互いに離間する側）に位置している。したがって、支持フレーム１０によって遮断される光の量が発光管の軸線Ｌ周りの全周にわたって概ね均等となる。これにより、特定の出射方向のみ照度が落ちてしまうことを回避でき、安定した均斉度を得ることができる。【選択図】図２
2007323902.tif 000002
【特許請求の範囲】
【請求項１】
外管部と、
前記外管部の内部に設けられる発光管と、
前記発光管の内部に設けられる一対の電極と、
前記外管部の内部で前記発光管を支持する支持部と、を備え、
前記支持部には前記発光管の軸線方向に沿って延びる支持辺部が備えられ、この支持辺部には前記発光管の軸線周りに螺旋状に延びる螺旋部が設けられ、
前記螺旋部が、前記軸線周りに略整数週巻回されており、
かつ、この螺旋部の巻き始め位置および巻き終わり位置が前記一対の電極において互いに向かい合う側の端部に対応する位置かそれよりも外側位置にある高圧放電ランプ。
【請求項２】
前記外管部が透明である、請求項１に記載の高圧放電ランプ。
【発明の詳細な説明】
【技術分野】
【０００１】
本発明は、高圧放電ランプに関する。
【背景技術】
【０００２】
道路照明等に使用される高圧ナトリウムランプ等の高圧放電ランプは、外管の内部に、発光管と、この発光管にパルス電圧を与える始動装置を備え、外球に口金を嵌着したものである。この種のランプにおいては、発光管が、枠状に形成されたサポートワイヤによってその両端部を支持されることがある（例えば特許文献１参照）。
【特許文献１】特開平１１−１１１２２１号公報
【発明の開示】
【発明が解決しようとする課題】
【０００３】
ところが、上記のような構成のランプでは、サポートワイヤにより発光管からの光が遮断されてしまうために、サポートワイヤが存在する側での照度が低下してしまうことがある。特に、ランプがねじ込み型の口金を備えるものである場合、ランプは口金部分を照明器具のソケットに対して回転させながらねじ込むことにより取り付けられ、取り付け向き（ランプがどの向きになったときにソケットに対する回転が止まるか）が常に一定になるわけではない。このため、取り付け向きによって得られる照度分布がばらつくこととなる。
【０００４】
このような問題は、例えばランプを道路の照明に利用する場合においてより顕著となる。すなわち、道路照明においてはランプの均斉度、すなわち路面での照度分布ができるだけ均一であることが求められる性能の１つとなっている。しかし、上記したようにサポートワイヤによって特定方向への光が遮られると、路面上で局所的な照度の低下が生じることとなる。そして、路面上において照度が低くなる位置がランプの取り付け向きに依存して変化し、それによって均斉度も変化し得るため、取り付け向きによっては所望の均斉度を得られない、といったことが起こり得る。
【０００５】
本発明は、上記した事情に鑑みてなされたものであり、その目的は、均斉度のばらつきを回避できる高圧放電ランプを提供することにある。
【課題を解決するための手段】
【０００６】
本発明の高圧放電ランプは、外管部と、前記外管部の内部に設けられる発光管と、前記発光管の内部に設けられる一対の電極と、前記外管部の内部で前記発光管を支持する支持部と、を備え、前記支持部には前記発光管の軸線方向に沿って延びる支持辺部が備えられ、この支持辺部には前記発光管の軸線周りに螺旋状に延びる螺旋部が設けられ、前記螺旋部が、前記軸線周りに略整数週巻回されており、かつ、この螺旋部の巻き始め位置および巻き終わり位置が前記一対の電極において互いに向かい合う側の端部に対応する位置かそれよりも外側位置にあるものである。なお、支持辺部が複数本ある場合、複数の螺旋部が合計で略整数週の巻回となっていればよい。
【０００７】
本発明は、外管部が透明である高圧放電ランプに好ましく適用できる。ここで、外管部が白色管など半透明のものである場合、外管部によって光が拡散されるために支持部による特定方向での照度低下がある程度緩和される。しかし、近年は照明効率の向上のために透明な外管部を有するランプが好んで使用される傾向があり、このようなランプでは光の拡散効果が得られないために特定方向での照度低下が問題となりやすい。したがって、このようなランプに本発明を適用することにより、特定方向での照度低下を防ぎ、均斉度のばらつきを効果的に低減できる。
【発明の効果】
【０００８】
本発明によれば、発光管を支持する支持部にはこの発光管の軸線方向に沿って延びる支持辺部が備えられ、この支持辺部には、発光管の軸線周りに螺旋状に延びる螺旋部が設けられている。このような構成によれば、発光管の軸線周りにおいて支持部による光の遮断量が分散されるから、特定方向で照度が大きく低下することが回避され、均斉度を向上させることができる。
特に、螺旋部が発光管の軸線周りに略整数週巻回され、かつ、この螺旋部の巻き始め位置および巻き終わり位置が一対の電極において互いに向かい合う側の端部に対応する位置かそれよりも外側位置にある。これにより、支持辺部によって遮断される光の量が発光管の軸線周りの全周にわたって概ね均等となり、ランプの均斉度が取り付け向きによってばらつくことがなくなる。
【発明を実施するための最良の形態】
【０００９】
＜第１実施形態＞
以下、本発明を具体化した第１実施形態について、図１〜図３を参照しつつ詳細に説明する。
【００１０】
図１には、本実施形態のナトリウムランプ１（本発明の高圧放電ランプに該当する）の概略側面図を、図２には、このナトリウムランプ１を図１とは９０°ずれた方向から見た概略側面図を、それぞれ示す。このナトリウムランプ１には、透明の硬質ガラスにより形成された外管部２が備えられている。この外管部２は、一端が開放された略円筒容器状をなすものであって、その開放側の端部はステム３によって気密に封止されており、さらに、図示しないソケットに装着可能なねじ込み型の口金４が取り付けられている。ステム３の近傍には、不純物を吸着するためのゲッタ５が設けられている。
【００１１】
この外管部２の内部には、発光管６が設けられている。発光管６は、透光性のアルミナにより直円筒状に形成されたもので、その両端の開口はシール部７、７により気密的に封止されている。発光管６の内部にはナトリウム、水銀およびキセノンガスが封入されている。また、発光管６の内部において両端部付近には、互いに対となる２つの電極Ｅ、Ｅと、これらの電極Ｅ、Ｅにそれぞれ接続されたリード８、８とが設けられている。リード８、８の端部は、それぞれシール部７、７を貫通して発光管６の外部に延出されている。
なお、発光管の寸法はランプの大きさ（ランプ電力）によって異なり、例えば、１１０Ｗ〜３６０Ｗのランプにおいて透光性のアルミナ管の外径は７〜１１ｍｍ、電極間距離は４０〜９０ｍｍ、一対のリードにおいて外側（互いに向かい合う側とは逆側）の端部間の距離は６０〜１２５ｍｍである。
【００１２】
発光管６は、その軸線Ｌ方向が外管部２の長さ方向と沿う姿勢で、径が１〜３ｍｍの金属製の支持フレーム１０（本発明の支持部に該当する）により支持されている。なお、支持フレーム１０の径が１ｍｍより小さくなると機械的強度が不足し、ランプ点灯中に熱で変形するおそれがあるため好ましくない。また、支持フレーム１０の径が３ｍｍよりも大きくなると発光管６から放射される光を多く遮るため、ランプ効率が低下し、好ましくない。
この支持フレーム１０は、発光管６を挟んで対向位置に配され全体として発光管６の軸線Ｌ方向に沿って延びる一対の支持枠片１１、１１（本発明の支持辺部に該当する）と、この支持枠片１１、１１を両端でそれぞれ連結する連結枠片１２、１２とを備え、全体として発光管６および始動装置９（後述）を囲う細長い枠状に形成されている。
【００１３】
発光管６の２本のリード８、８のうち、口金４側のリード８Ａは両支持枠片１１、１１間に渡された固定板１３を介して支持フレーム１０に固定されている。この固定板１３には、発光管６にパルス電圧を与えるための始動器等からなる始動装置９が連結されており、リード８Ａの先端部はこの始動装置９に接続されている。この始動装置９は、外部電源からの電力を供給するインナーリード線１７、１７のうち一方を介してステム３に接続されている。一方、他方のリード８Ｂは、両支持枠片１１、１１間に橋渡されたリード線を兼ねる金属製固定部材１４を介して支持フレーム１０に固定されている。また、一対の連結枠片１２、１２のうち口金４側と逆側の連結枠片１２Ａは、支持板１５を介して外管部２の内面に固定されている。
【００１４】
支持枠片１１、１１の一部は、それぞれ、発光管６の軸線Ｌの周りに螺旋状に延びる螺旋部１６、１６とされている（図３を併せて参照）。一方の支持枠片１１Ａに設けられる螺旋部１６Ａは、その巻き始め位置から巻き終わり位置までの間で半周分（１８０°）ねじられている。また、他方の支持枠片１１Ｂに設けられる螺旋部１６Ｂは、その巻き始め位置が相手側の螺旋部１６Ａの巻き始め位置に対して発光管６の軸線Ｌを挟んで対称位置にあり、ここから巻き終わり位置までの間で同じく半周分（１８０°）ねじられている。すなわち、一対の螺旋部１６、１６は発光管６の軸線Ｌを中心軸として軸対称となるように配され、合計で１周巻回されるようになっている。
この螺旋部１６、１６の巻き始め位置および巻き終わり位置は、それぞれ発光管６の端部に対応する位置にある。すなわち、一対の電極Ｅ、Ｅにおいて互いに向かい合う側の端部に対応する位置よりも外側（互いに離間する側）に位置している。
なお、図１に示すような、極間長４０ｍｍ以上、外周径６〜１２ｃｍの円筒型発光管６を有するランプ１においては、螺旋部１６、１６の巻き始め位置および巻き終わり位置は、電極Ｅ、Ｅの先端（互いに向かい合う側の端部）に対応する位置から互いに離間する側へ約３０ｍｍの範囲内にあることがより好ましい。
【００１５】
次に、上記のように構成された本実施形態の作用および効果について説明する。
【００１６】
ナトリウムランプ１を照明器具（図示せず）に装着する際には、照明器具のソケットにナトリウムランプ１の口金４を合わせ、回転させながらねじ込む。このとき、ナトリウムランプ１がどの向きになったときにソケットに対する口金４の回転が止まるかは、ねじ込み強さやランプ個体差により毎回一定ではないため、支持フレーム１０の発光管６の軸線Ｌ回りにおける固定位置も毎回一定ではない。
【００１７】
次いで、ナトリウムランプ１を点灯させる。このとき、発光管６から外周方向に出射する光の一部は、支持フレーム１０によって遮断される。しかし、支持フレーム１０において発光管６の軸線Ｌ方向に沿って延びる一対の支持枠片１１、１１には、発光管６の軸線Ｌ周りに螺旋状に延びる螺旋部１６、１６が設けられている。さらに、２つの螺旋部１６、１６は、発光管６の軸線Ｌを中心軸として軸対称となるように配されており、それぞれ１８０°ねじられ、合計で１周の巻回となるようにされている。加えて、螺旋部１６、１６の巻き始め位置および巻き終わり位置は、それぞれ発光管６の端部に対応する位置にある。すなわち、一対の電極Ｅ、Ｅにおいて互いに向かい合う側の端部に対応する位置よりも外側（互いに離間する側）に位置している。
ここで、発光管６からの発光は一対の電極Ｅ、Ｅ間のアーク放電によるものであるから、光は電極Ｅ、Ｅにおいて発生してその周囲に広がっていく。したがって、支持フレーム１０が配されている位置において、発光管６から発せられる光が通過する領域は、発光管６のサイズや支持フレーム１０と発光管６との距離等にもより若干変動するが、概ね一対の電極Ｅ、Ｅ間に対応する領域、もしくはそれよりも僅かに外側までの領域となる。よって、この領域に２つの螺旋部１６、１６が存在し、かつ合計で１周の巻回となるようにされていることにより、支持フレーム１０によって遮断される光の量が発光管の軸線Ｌ周りの全周にわたって概ね均等となる。これにより、特定の出射方向のみ照度が落ちてしまうことを回避でき、安定した均斉度を得ることができる。
【００１８】
＜変形例１＞
変形例１には、上記第１実施形態と同様の構成の支持フレーム１０をメタルハライドランプに適用した場合について説明する。図４には、本変形例のメタルハライドランプ２０（本発明の高圧放電ランプに該当する）の概略側面図を、図５には、このメタルハライドランプ２０を図４とは９０°ずれた方向から見た概略側面図を、それぞれ示す。なお、第１実施形態と同様の構成には同一の符号を付して説明を省略する。
【００１９】
このメタルハライドランプ２０の発光管２１は、透光性のアルミナにより形成されたもので、両端がテーパ状に細くなった直円筒状に形成された本体部２２と、この本体部２２の両端に気密的に設けられた一対の細管部２３とを備える。細管部２３の内部には、先端部にコイルを巻回した電極Ｅ、Ｅと、この電極Ｅ、Ｅにそれぞれ接続されたリード２４、２４が気密的に固定されている。また、発光管２１内には、希ガス、金属ハロゲン化物、および水銀が封入されている。
【００２０】
リード２４、２４の端部は、発光管２１の外部に延出されている。口金４側のリード２４Ａは両支持枠片１１、１１間に渡された固定板１３を介して支持フレーム１０に連結されている。この固定板１３には第１実施形態と同様に始動装置９が連結されており、リード２４Ａの先端部はこの始動装置９に接続されている。一方、他方のリード２４Ｂは、両支持枠片１１、１１間に橋渡されたリード線を兼ねる金属製固定部材１４を介して支持フレーム１０に接続されている。
【００２１】
本変形例のように、第１実施形態と同様の支持フレームの構造をメタルハライドランプ２０に適用しても、第１実施形態と同様に特定の出射方向のみ照度が落ちてしまうことを回避でき、安定した均斉度を得ることができる。
【００２２】
＜第２実施形態＞
以下、本発明の第２実施形態について、図６〜図８を参照しつつ説明する。図６には、本実施形態のナトリウムランプ３０の概略側面図を、図７には、このナトリウムランプ３０を図６とは９０°ずれた方向から見た概略側面図を、それぞれ示す。本実施形態の第１実施形態との相違点は、支持フレーム３１における螺旋部３４の構造にある。なお、上記実施形態および変形例と同様の構成には同一の符号を付して説明を省略する。
【００２３】
本実施形態のナトリウムランプ３０においても、支持フレーム３１は発光管６を挟んで対向位置に配され全体として発光管６の軸線Ｌ方向に沿って延びる一対の支持枠片３２、３２と、この支持枠片３２、３２を両端でそれぞれ連結する連結枠片３３、３３とを備え、全体として発光管６および始動装置９を囲う細長い枠状に形成されている。
【００２４】
支持枠片３３、３３の一部は、それぞれ、発光管６の軸線Ｌ周りに螺旋状に延びる螺旋部３４、３４とされている（図８を併せて参照）。一方の支持枠片３２Ａに設けられる螺旋部３４Ａは、その巻き始め位置から巻き終わり位置までの間で１周分（３６０°）ねじられている。また、他方の支持枠片３２Ｂに設けられる螺旋部３４Ｂは、その巻き始め位置が相手側の螺旋部３４Ａの巻き始め位置に対して発光管６の軸線Ｌを挟んで対称位置にあり、ここから巻き終わり位置までの間で同じく１周分（３６０°）ねじられている。すなわち、一対の螺旋部３４、３４は発光管６の軸線Ｌを中心軸として軸対称となるように配され、合計で２周巻回されるようになっている。
さらに、この螺旋部３４、３４の巻き始め位置および巻き終わり位置は、それぞれ発光管６の端部に対応する位置にある。すなわち、一対の電極Ｅ、Ｅにおいて互いに向かい合う側の端部に対応する位置よりも外側（互いに離間する側）に位置している。
【００２５】
本実施形態のように、一対の螺旋部３４、３４の合計の巻回数が２周とされていても、第１実施形態と同様に、特定の出射方向のみ照度が落ちてしまうことを回避でき、安定した均斉度を得ることができる。
【００２６】
＜変形例２＞
変形例２には、第２実施形態と同様の構成の支持フレーム３１をメタルハライドランプに適用した場合について説明する。図９には、本変形例のメタルハライドランプ４０の概略側面図を、図１０には、このメタルハライドランプ４０を図９とは９０°ずれた方向から見た概略側面図を、それぞれ示す。なお、上記実施形態および変形例と同様の構成には同一の符号を付して説明を省略する。
本変形例のメタルハライドランプ４０は、発光管２１として変形例１と同様の構成を用いたものであって、その余の構成は第２実施形態と同様である。本変形例のメタルハライドランプにおいても、上記実施形態と同様、特定の出射方向のみ照度が落ちてしまうことを回避でき、安定した均斉度を得ることができる。
【００２７】
＜第３実施形態＞
以下、本発明の第３実施形態について、図１１〜図１３を参照しつつ説明する。図１１には、本実施形態のナトリウムランプ５０の概略側面図を、図１２には、このナトリウムランプ５０を図１１とは９０°ずれた方向から見た概略側面図を、それぞれ示す。本実施形態の第１実施形態との相違点は、支持フレーム５１の構造にある。なお、上記実施形態および変形例と同様の構成には同一の符号を付して説明を省略する。
【００２８】
本実施形態のナトリウムランプ５０において、支持フレーム５１は、全体として発光管６の軸線Ｌ方向に沿って延びる一本の支持枠片５２と、この支持枠片５２を両端において支持枠片５２と直交方向に延びる一対の連結枠片５３、５３とを備えている。
【００２９】
発光管６の２本のリード８、８のうち、口金４側のリード８Ａは固定板５４を介して支持枠片５２に連結されている。この固定板５４には、第１実施形態と同様に始動装置９が連結されており、リード８Ａの先端部はこの始動装置９に接続されている。この始動装置９は、インナーリード線１７、１７のうち一方を介してステム３に接続されている。一方、他方のリード８Ｂは、リード線を兼ねる金属製固定部材５５を介して支持枠片５２に接続されている。また、一対の連結枠片５３、５３のうち口金４側と逆側の連結枠片５３Ａは、支持板５６を介して外管部２の内面に固定されている。
【００３０】
支持枠片５２の一部は、発光管６の軸線Ｌ周りに螺旋状に延びる螺旋部５７とされている（図１３を併せて参照）。この螺旋部５７は、その巻き始め位置から巻き終わり位置までのあいだで１周分（３６０°）ねじられている。さらに、この螺旋部５７の巻き始め位置および巻き終わり位置は、それぞれ発光管６の端部に対応する位置にある。すなわち、一対の電極Ｅ、Ｅにおいて互いに向かい合う側の端部に対応する位置よりも外側（互いに離間する側）に位置している。
【００３１】
本実施形態のように、支持枠片５２を１本しか備えていない支持フレーム５１により発光管６が支持される場合であっても、支持枠片５２に螺旋部５７が設けられていることにより、第１実施形態と同様に、特定の出射方向のみ照度が落ちてしまうことを回避でき、安定した均斉度を得ることができる。
【実施例】
【００３２】
以下、実施例を挙げて本発明をさらに詳細に説明する。
＜実施例１＞
ランプとしては、高圧ナトリウムランプ（株式会社ジーエス・ユアサライティング製  ＮＨＴ１８０・ＬＳ）において、支持フレームの構造を上記第１実施形態（図１および図２参照）に示したのと同様としたものを使用した。
なお、発光管の寸法は外径約９．０ｍｍ。シール部を含めた長さは約１０７ｍｍ、電極間距離は約６７ｍｍ、リードのシール部からの突き出し長さは約７．５ｍｍである。さらに、螺旋部の巻き始め位置と巻き終わり位置は、電極の先端部（互いに向かい合う側の端部）から互いに離間する方向へ約２４ｍｍの位置とした。
このランプを用いて、ＪＩＳ  Ｃ  ８１０５−３  附属書「照明器具の測光方法」に従って配光測定を行った。なお、ランプの取り付け高さは１０ｍ、取り付け角度は５°とし、ランプの取り付け向きは、図１に示された面が下側（道路側）を向くようにした。５°ピッチ×鉛直３６０°×３６断面で各測定点の光度値を測定した。
【００３３】
＜実施例２＞
図２に示された面が下側（道路側）を向くようにした他は、実施例１と同様にして配光測定を行った。
【００３４】
＜比較例１＞
ランプとしては高圧ナトリウムランプ（株式会社ジーエス・ユアサライティング製  ＮＨＴ１８０・ＬＳ）を使用した。このランプは従来型の支持フレーム、すなわち、螺旋部を有しない直線状の支持枠片を備える支持フレームによって発光管が支持されたものである。
このランプを用いて、実施例１と同様にして配光測定を行った。なお、ランプの取り付け高さは１０ｍ、取り付け角度は５°とし、ランプの取り付け向きは支持枠線が発光管の直下（発光管から路面に向かって下ろした鉛直線上）に位置するようにした。
【００３５】
＜比較例２＞
ランプの取り付け向きを、支持枠線が発光管から路面に向かって下ろした鉛直線に対して４５°の位置にあるようにした。その他は、比較例１と同様にして配光測定を行った。
【００３６】
＜結果と考察＞
例えば道路照明の場合、路面上の明るさとその明るさのムラが問題となる。明るさは平均照度として評価され、明るさのムラを評価するためには総合均斉度という指標が使用される。ここで均斉度とは、ある面上に存在する照度値のうち、限定された範囲における平均照度値に対する最小照度値をいい、次式（１）で表される。
【００３７】
均斉度＝Ｅｍｉｎ/Ｅａｖｅ  …（１）
（但しＥｍｉｎは最小照度、Ｅａｖｅは平均照度）
【００３８】
最小照度値が小さくなれば、すなわち路面上に他の場所と比べて極端に暗い場所があれば、均斉度は小さくなる。
【００３９】
従来の支持フレーム構造をもつランプにおいて、支持枠線が発光管の直下にあるようにランプを取り付けた場合（比較例１）では、ランプの直下に支持枠線の影が生じる。このように、照明器具直下（本来は明るすぎる位置）に影ができ、他の光を必要とする場所には光が届きやすくなる。この場合、均斉度を高いレベルに確保することは容易となる。比較例１における平均照度、最小照度、総合均斉度は以下のようであった。
【００４０】
平均照度Ｅａｖｅ：１１．４  ｌｘ
最小照度Ｅｍｉｎ：６．２７  ｌｘ
総合均斉度：６．２７／１１．４＝０．５５
【００４１】
一方、支持枠線が４５°位置にあるようにランプを取り付けた場合（比較例２）では、支持枠線の影がランプの直下ではなく側方に分散する。このように、照明器具直下は明るくなり、その他の光を必要とする場所に影ができることとなるため、平均照度と最小照度との差が大きくなり、均斉度が下がる。比較例２における平均照度、最小照度、総合均斉度は以下のようであった。
【００４２】
平均照度Ｅａｖｅ：１１．３  ｌｘ
最小照度Ｅｍｉｎ：５．０８  ｌｘ
総合均斉度：５．０８／１１．３＝０．４５
【００４３】
このように、取り付け向きによって得られる均斉度がばらつくこととなる。
【００４４】
これに対し、実施例１、２のように支持枠線に螺旋部が設けられているランプを使用した場合、ランプをソケットに対してどのような取り付け向きで取り付けても特定方向に極端な影が生じない構造であるから、取り付け向きによる均斉度のばらつきが小さくなる。実施例１および実施例２における平均照度、最小照度、総合均斉度は以下のようであった。
【００４５】
実施例１
平均照度Ｅａｖｅ：１１．４  ｌｘ
最小照度Ｅｍｉｎ：５．９３  ｌｘ
総合均斉度：５．９３／１１．３＝０．５２
【００４６】
実施例２
平均照度Ｅａｖｅ：１１．３  ｌｘ
最小照度Ｅｍｉｎ：６．２１  ｌｘ
総合均斉度：６．２１／１１．３＝０．５５
【００４７】
本発明の技術的範囲は、上記した実施形態によって限定されるものではなく、例えば、次に記載するようなものも本発明の技術的範囲に含まれる。
（１）上記各実施形態および変形例では、螺旋部１６、３４、５７が発光管６、２１の軸線Ｌ周りに１周または２周（螺旋部が１対の場合は合計で１周または２周）巻回されていたが、螺旋部の巻回数が３周以上であっても構わない。
【００４８】
（２）上記各実施形態および変形例では、１本または２本の支持枠片１１、３２、５２を備える支持フレーム１０、３１、５１によって発光管６、２１が支持されていたが、例えば３本またはそれ以上の支持辺部を備える支持部によって発光管が支持されていても構わない。
【図面の簡単な説明】
【００４９】
【図１】第１実施形態のナトリウムランプの概略側面図
【図２】第１実施形態のナトリウムランプを図１とは９０°ずれた方向から見た概略側面図
【図３】第１実施形態の支持フレームの側面図
【図４】変形例１のメタルハライドランプの概略側面図
【図５】変形例１のメタルハライドランプを図４とは９０°ずれた方向から見た概略側面図
【図６】第２実施形態のナトリウムランプの概略側面図
【図７】第２実施形態のナトリウムランプを図６とは９０°ずれた方向から見た概略側面図
【図８】第２実施形態の支持フレームの側面図
【図９】変形例２のメタルハライドランプの概略側面図
【図１０】変形例２のメタルハライドランプを図９とは９０°ずれた方向から見た概略側面図
【図１１】第３実施形態のナトリウムランプの概略側面図
【図１２】第３実施形態のナトリウムランプを図１１とは９０°ずれた方向から見た概略側面図
【図１３】第３実施形態の支持フレームの側面図
【符号の説明】
【００５０】
１、３０、５０…ナトリウムランプ（高圧放電ランプ）
２０、４０…メタルハライドランプ（高圧放電ランプ）
２…外管部
６、２１…発光管
１０、３１、５１…支持フレーム（支持部）
１１、３２、５２…支持枠片（支持辺部）
１６、３４、５７…螺旋部
Ｌ…軸線
【図１】
2007323902.tif 000003
【図２】
2007323902.tif 000004
【図３】
2007323902.tif 000005
【図４】
2007323902.tif 000006
【図５】
2007323902.tif 000007
【図６】
2007323902.tif 000008
【図７】
2007323902.tif 000009
【図８】
2007323902.tif 000010
【図９】
2007323902.tif 000011
【図１０】
2007323902.tif 000012
【図１１】
2007323902.tif 000013
【図１２】
2007323902.tif 000014
【図１３】
2007323902.tif 000015